(57)【要約】【課題】使用者を発奮させて目標達成を支援し、結果的に達成感を与えてウォーキングの持続性を高めることのできる歩数計を提供する。【解決手段】  歩数を検出する歩数検出手段と、目標とする歩数をあらかじめ記録する目標歩数記録手段と、この目標歩数記録手段に記録された目標歩数データから上記歩数検出手段により検出された歩数データを減じて残り歩数を算出する演算手段と、算出された残り歩数を音声にて通知する音声通知手段とを備える歩数計である。【選択図】図１
2005092496.tif 000002
【特許請求の範囲】
【請求項１】
歩数を検出する歩数検出手段と、目標とする歩数をあらかじめ記録する目標歩数記録手段と、この目標歩数記録手段に記録された目標歩数データから上記歩数検出手段により検出された歩数データを減じて残り歩数を算出する演算手段と、算出された残り歩数を音声にて通知する音声通知手段とを備えることを特徴とする歩数計。
【請求項２】
音声通知手段が通知する残り歩数をあらかじめ設定することにより、音声通知手段の作動状態において、設定された残り歩数となったときにその歩数を音声にて通知する請求項１記載の歩数計。
【請求項３】
音声通知手段が通知指示手段を備え、この通知指示手段が作動することにより残り歩数を音声にて通知する請求項１または２記載の歩数計。
【発明の詳細な説明】
【技術分野】
【０００１】
本発明は、健康増進のための健康ウォーキングを推奨、支援する健康器具として用いられる歩数計に関するものである。
【背景技術】
【０００２】
近時、健康増進のためにウォーキングやジョギングを行う人がますます増え、「１日１万歩」というような目標を設定して日々、目標達成のための努力を惜しまない人が多くなってきている。そのような人達には、「何歩歩いたか」を知ることのできる歩数計が必需品となっている。
【０００３】
この歩数計として最も一般的なものは、使用者の歩行または走行した歩数を振動センサー等からの出力としてカウントし、それを歩数計の画面に表示するものであり、誰でも簡単に取り扱うことができるものとして広く受け入れられている。
【０００４】
ところが、この歩数計においては、歩数を確認するためにいちいち画面を見なければならず、画面がそれほど大きくないことから、ベルト等の装着部位から外して歩数を確認し、再度装着しなおすという面倒なことを行わざるをえなかった。このような問題を解決するものとして、たとえば、特許文献１には、歩数表示とともに音声通知を行う電子歩行計数器が開示されている。
【特許文献１】実開平１−１５５５６８号公報
【発明の開示】
【発明が解決しようとする課題】
【０００５】
上記のように歩数を音声により通知する歩数計を用いた場合には、いちいち表示画面を見ることなく自分が歩いた歩数を知ることができ、画面表示だけを行うものに比べれば確かに便利ではある。しかしながら、この歩数計も、ウォーキングに真剣に取り組んでいる人にとっては、未だ不満の残るものであった。
【０００６】
本発明は、上述のような実情に鑑みなされたものであって、使用者を発奮させて目標達成を支援し、結果的に達成感を与えてウォーキングの持続性を高めることのできる歩数計であって、複雑な機構を付加することなく得ることのできる歩数計の提供を目的とするものである。
【課題を解決するための手段】
【０００７】
上記の目的を達成するために、本発明の歩数計は以下の構成をとるものである。すなわち、歩数を検出する歩数検出手段と、目標とする歩数をあらかじめ記録する目標歩数記録手段と、この目標歩数記録手段に記録された目標歩数データから上記歩数検出手段により検出された歩数データを減じて残り歩数を算出する演算手段と、算出された残り歩数を音声にて通知する音声通知手段とを備える歩数計である。
【０００８】
この歩数計においては、音声通知手段が通知する残り歩数をあらかじめ設定することにより、音声通知手段の作動状態において、設定された残り歩数となったときにその歩数が音声にて通知されるようにすることができる。
【０００９】
また、音声通知手段が通知指示手段を備え、この通知指示手段が作動することにより残り歩数が音声にて通知されるようにすることもできる。
【発明の効果】
【００１０】
本発明の歩数計によれば、ウォーキングを頑張れば頑張るほど残り歩数が徐々に減少してゆくことが音声により通知されるため、それが励ましの言葉となって使用者を奮起させることができる。また、目標歩数間近となったときにカウントダウンを音声で行うと、より一層、やる気を高めることができる。そして、それが結果的に達成感へとつながり、ウォーキングの持続性を高めることとなる。また、本発明の歩数計は、複雑な機構を付加することなく得ることができるものであり、低コストでの商品化を可能とするものである。また、あらかじめ音声通知手段が通知する残り歩数を設定できるようにした場合には、使用者の好みに応じて残り歩数の通知を行うことができ、ペース配分等に役立てることもできる。
【発明を実施するための最良の形態】
【００１１】
以下、本発明の実施の形態を図面に基づき説明する。
【００１２】
図１は、本発明の歩数計の実施の形態を示している。この歩数計１は、合成樹脂により薄型略長方形状に形成された歩数計本体２と、この歩数計本体２をズボンやスカートのベルト等に取り付けるための取り付け手段（図示せず）とを備えている。
【００１３】
歩数計本体２の片面側には、表示画面６が設けられている。この表示画面６は、目標歩数、現在歩数、残り歩数を数字表示するとともに、様々なイラスト等も表示するようになっている。そして、この表示画面６の上部には、後述する入力部４としての加算用の入力ボタン４ａ・減算用の入力ボタン４ｂと、後述する通知指示手段としてのメッセージボタン１２と、後述する２種類の使用態様に適宜切り替えるための切替スイッチ５とが設けられている。また、表示画面６の横には、音声通知手段としてのスピーカ１１が設けられている。さらに、このスピーカ１１の作動状態を解除し、音声通知を行わない状態にするためのマナーボタン１４が、上記切替スイッチ５の横に設けられている。そして、歩数計本体２の一方の側面側には、使用開始時に歩数計１の歩数データの数を０（ゼロ）に戻すリセットボタン３が設けられている。
【００１４】
図２は、この歩数計１の回路ブロック図を示している。同図において、歩数検出手段としてのセンサ１３は、振動によって信号を出力するものであり、このセンサ１３からの出力信号は、入力制御部８を介して制御部９に出力されるようになっている。また、制御部９には、制御部９へ使用者の指示を伝達・制御する入力制御部８と、目標とする歩数をあらかじめ記録する目標歩数記録手段としてのメモリ７とが接続されている。そして、入力制御部８へは、目標歩数を入力するための入力部４と、使用者の指示に応じて通知態様を切り換える切替手段としての切替スイッチ５と、通知指示手段としてのメッセージボタン１２と、音声通知の作動をオン・オフするマナーボタン１４とが接続されている。
【００１５】
さらに、制御部９には、上記入力部４から入力されてメモリ７に記録された目標歩数データから、上記センサ１３により検出された歩数データを減じて残り歩数を算出する機能を有する演算手段としての演算部１５が接続されている。そして、この演算部１５により算出された残り歩数データは、表示制御部１７に出力されて表示画面６に表示されるとともに、音声制御部１０へも出力されて音声通知手段としてのスピーカ１１から通知されるようになっている。
【００１６】
また、スピーカ１１が通知する残り歩数をあらかじめ設定する場合には、その残り歩数を上記入力部４から入力し、入力制御部８と制御部９を介して上記メモリ７に記録するようになっている。
【００１７】
このように構成された歩数計１は、以下のようにして使用することができる。すなわち、まず、入力ボタン４ａ・４ｂ（入力部４）から、目標とする歩数を入力する。すると、その目標歩数が、メモリ７に記録される。また、通知して欲しい残り歩数がある場合には、通知を望む残り歩数（あと１０００歩、等）を、同じく入力ボタン４ａ・４ｂ（入力部４）から入力し、メモリ７に記録させる。この残り歩数については、例えば、１０００歩ごとに定期的に通知されるように設定することもできる。こうして、目標歩数と、通知して欲しい残り歩数とを設定した後、リセットボタン３を押し、制御部９に記録されている歩数データを０（ゼロ）に戻す。
【００１８】
そして、使用者が歩数計１を身に付けて歩行を開始すると、センサ１３が作動して、センサ１３からの出力信号が制御部９に出力される。すると、メモリ７に記録されている目標歩数から制御部９に記録されている歩数が減算され、通知を望む残り歩数に達したときに、スピーカ１１が作動して残り歩数が通知される。
【００１９】
また、通知を望む残り歩数を設定する、しないにかかわらず、メッセージボタン１２を押すことにより、音声制御部１０を作動させて、スピーカ１１から残り歩数を通知させることができる。
【００２０】
一方、使用者が、歩数計１からの音声通知を望まないときは、入力制御部８に接続されたマナーボタン１４を押すことにより、音声通知をしない状態へ切り換えることができる。その場合には、設定された残り歩数に達したり、メッセージボタン１２を誤って作動させたりしたときにも音声通知は行われない。
【００２１】
このように、通知を望む歩数に達したときに残り歩数を通知させる使用態様と、メッセージボタン１２を押すことにより残り歩数を通知させる使用態様との切り替えは、上記切替スイッチ５により行うことができる。すなわち、切替スイッチ５を一方のモードに切り替えると、「あと３０００歩です」、「あと２０００歩です」というように、あらかじめ設定した残り歩数になったときにスピーカ１１からの音声通知がなされるようになる。なお、このモードにしたときにも、メッセージボタン１２を押すことにより、その時点の歩数を、「あと３４６２歩です」というように、スピーカ１１から音声通知させることができる。そして、切替スイッチ５を他方のモードに切り替えると、あらかじめ設定した残り歩数になったときの音声通知はなされず、メッセージボタン１２を押すことによってのみ、残り歩数の音声通知がなされるようになる。
【図面の簡単な説明】
【００２２】
【図１】本発明の歩数計の実施形態を示す正面図である。
【図２】上記歩数計の回路ブロック図である。
【符号の説明】
【００２３】
１    歩数計
２    歩数計本体
３    リセットボタン
４ａ  入力ボタン
４ｂ  入力ボタン
５    切替スイッチ
６    表示画面
７    メモリ
８    入力制御部
９    制御部
１０    音声制御部
１１    スピーカ
１２    メッセージボタン
１３    センサ
１４    マナーボタン
１５    演算部
１７    表示制御部
【図１】
2005092496.tif 000003
【図２】
2005092496.tif 000004